(57)【要約】      （修正有）【課題】芯の交換を容易に行うことができる２軸ボールペンを提供する。【解決手段】長尺状の基体１０と、インク色が互いに異なる２本の芯１１、１２とを備えた２軸ボールペンにおいて、２本の芯１１、１２を、基体１０の長手方向Ａと直交する一方向の両側縁に対して、それぞれ基体１０と反対側の外周面を露出させて、かつ芯先端を、基体長手方向Ａの両端面のうちの一方の端面から突出可能にして、着脱自在に取り付ける。【選択図】図２
2018176667.tif 000002
【特許請求の範囲】
【請求項１】
長尺状の基体と、
互いに異なる２本の芯とを備えた２軸ボールペンであって、
前記２本の芯が、前記基体の長手方向と直交する一方向の両側縁に対して、それぞれ前記基体と反対側の外周面を露出させて、かつ芯先端を前記基体の長手方向の両端面のいずれか一方から突出可能にして、着脱自在に取り付けられていることを特徴とする２軸ボールペン。
【請求項２】
前記基体が、前記芯の長手方向の少なくとも１箇所を係止する係止手段を備えている請求項１記載の２軸ボールペン。
【請求項３】
前記基体の両側縁に、該基体の長手方向に沿って延びて前記芯を受承する溝が設けられている請求項１または２記載の２軸ボールペン。
【請求項４】
前記係止手段が、一つの面が前記溝の内周面と連なるように形成されて前記芯の外周面を抑える突部から構成されている請求項３記載の２軸ボールペン。
【請求項５】
前記係止手段が、前記基体とは別体に形成されて、前記芯を囲む環状部材から構成されている請求項２または３記載の２軸ボールペン。
【請求項６】
前記基体が、前記芯の後端が当接する当接面を有している請求項１から５いずれか１項記載の２軸ボールペン。
【請求項７】
前記芯が、使用者の操作によって長手方向に移動自在とされている請求項１から６いずれか１項記載の２軸ボールペン。
【請求項８】
前記基体が、長手方向に対して直角な断面において、前記２本の芯の並び方向の寸法が、該並び方向に対して直角な方向の寸法よりも大である、偏平な形状である請求項１から７いずれか１項記載の２軸ボールペン。
【請求項９】
前記基体に、取り付けられた前記芯との間に指先を入れるための凹部が形成されている請求項１から８いずれか１項記載の２軸ボールペン。
【請求項１０】
前記基体に、前記芯の筒状とされた後端部内に入り込む係止用突部が形成されている請求項１から９いずれか１項記載の２軸ボールペン。
【発明の詳細な説明】
【技術分野】
【０００１】
本発明は２軸ボールペン、すなわち、インク色が互いに異なる等の２本の芯を備えたボールペンに関するものである。
【背景技術】
【０００２】
従来、例えば特許文献１および２に示されるように、インク色が互いに異なる２本の芯を備えてなる２軸ボールペンが広く知られている。そのような２軸ボールペンにおいても、一般的な単色のボールペンと同様、ある芯のインクが無くなると、別の新しい芯（いわゆるレフィル）と交換して、継続使用することが多い。
【先行技術文献】
【特許文献】
【０００３】
【特許文献１】特開２００８−１４９６９４号公報
【特許文献２】特表２０１５−５３６８４３号公報
【発明の概要】
【発明が解決しようとする課題】
【０００４】
しかし従来の２軸ボールペンは、芯を交換する作業が面倒であることが多い。つまり、一般的なボールペンにおいては、互いに螺合している軸筒上部と軸筒下部との中に芯が配置されている。そこで芯の交換に際しては、軸筒上部と軸筒下部との螺合を解いてそれらを分解し、芯を交換した後に、軸筒上部と軸筒下部とを再度螺合させる、という面倒な作業が必要になる。そこで本発明は、芯の交換を極めて容易に行うことができる２軸ボールペンを提供することを目的とする。
【課題を解決するための手段】
【０００５】
本発明による２軸ボールペンは、長尺状の基体と、互いに異なる２本の芯とを備えた２軸ボールペンであって、２本の芯が、基体の長手方向と直交する一方向の両側縁に対して、それぞれ基体と反対側の外周面を露出させて、かつ芯先端を基体の長手方向の両端面のいずれか一方から突出可能にして、着脱自在に取り付けられていることを特徴とするものである。なお、上記の「互いに異なる２本の芯」とは、例えばインク色が異なる２本の芯や、あるいは消しゴム等の消し部材で消すことができるインクを貯えている芯と、消すことができないインクを貯えている芯等、何らかの相違を有する２本の芯すべてを意味するものである。
【０００６】
上記構成を有する本発明の２軸ボールペンにおいては、基体が、芯の長手方向の少なくとも１箇所を係止する係止手段を備えていることが望ましい。
【０００７】
また、基体の両側縁には、該基体の長手方向に沿って延びて前記芯を受承する溝が設けられていることが望ましい。
【０００８】
上述した係止手段は、例えば、一つの面が上記溝の内周面と連なるように形成されて芯の外周面を抑える突部から構成することができる。
【０００９】
あるいは、上述した係止手段は、基体とは別体に形成されて、芯を囲む環状部材から構成されてもよい。
【００１０】
一方、基体は、芯の後端が当接する当接面を有していることが望ましい。
【００１１】
また、本発明の２軸ボールペンにおいては、各芯が、使用者の操作によって長手方向に移動自在とされていることが望ましい。
【００１２】
さらに本発明の２軸ボールペンの基体は、長手方向に対して直角な断面において、２本の芯の並び方向の寸法が、この並び方向に対して直角な方向の寸法よりも大である、偏平な形状であることが望ましい。
【００１３】
また、本発明の２軸ボールペンにおいては、基体に、取り付けられた芯との間に指先を入れるための凹部が形成されていることが望ましい。
【００１４】
また、本発明の２軸ボールペンにおいては、基体に、芯の筒状とされた後端部内に入り込む、係止手段の一例としての係止用突部が形成されていることが望ましい。
【発明の効果】
【００１５】
本発明による２軸ボールペンにおいては、２本の芯が、基体の長手方向と直交する一方向の両側縁に対して、それぞれ基体と反対側の外周面を露出させて、着脱自在に取り付けられる構造となっているので、前述したように軸筒上部と軸筒下部とを分解した後、再度組み立てるといった面倒な作業は不要にして、芯を交換することができる。なお、本発明による２軸ボールペンは、軸筒内に芯を収めた構造を有するものではないが、２本の芯が、芯先端を基体の長手方向の両端面のいずれか一方から突出可能にして基体に取り付けられているので、この芯の取付け状態のまま筆記に用いることができる。そして、本発明による２軸ボールペンは、軸筒が必要ではないので、ボールペン全体の厚さを小さくすることが可能で、さらに、芯内のインクの色や残量を確認しやすいという効果も得られる。
【図面の簡単な説明】
【００１６】
【図１】本発明の第１実施形態による２軸ボールペンを示す斜視図
【図２】図１の２軸ボールペンを分解した状態を示す斜視図
【図３】図１の２軸ボールペンを組み立てる途中の状態を示す斜視図
【図４】図１の２軸ボールペンを組み立てる途中の状態を示す一部破断正面図
【図５】図１の２軸ボールペンの使用状態を示す側面図
【図６】本発明の第２実施形態による２軸ボールペンを示す斜視図
【図７】本発明の第３実施形態による２軸ボールペンを示す斜視図
【図８】本発明の第４実施形態による２軸ボールペンを示す斜視図
【図９】本発明の第５実施形態による２軸ボールペンを示す斜視図
【図１０】本発明の第６実施形態による２軸ボールペンを示す斜視図
【図１１】本発明における芯の係止手段の一例を示す側断面図
【発明を実施するための形態】
【００１７】
以下、本発明の実施形態について図面を参照して詳細に説明する。まず、図１〜図５を参照して、本発明の第１実施形態による２軸ボールペン１について説明する。図１は、本実施形態の２軸ボールペン１の斜視形状を示すものである。図２は、本実施形態の２軸ボールペン１の要部を分解して示す斜視図、図３は図２の状態から図１の状態に組み立てる途中の２軸ボールペン１を示す斜視図である。
【００１８】
図１に明示されるように、この２軸ボールペン１は基本的に、一方向に延びる長尺の基体１０と、この基体１０に取り付けられる第１の芯１１と、同じく基体１０に取り付けられる第２の芯１２とから構成されている。また本実施形態では特に、筆記に使用している状態下で上端となる基体１０の一端に、この２軸ボールペン１で書かれた描線を消すための消し部材１３が取り付けられている。さらに、上記基体１０の一端近傍には、２軸ボールペン１をノート等に係止するためのクリップ１４が取り付けられている。
【００１９】
図２に明示されるように基体１０は、矢印Ａで示す長手方向と直交する一方向（矢印Ｂ方向）の両側縁に、それぞれ第１の芯１１、第２の芯１２を受承するための溝１０ａを有する。なお図２では、一方の溝１０ａのみを示す。この溝１０ａは、基体１０の長手方向と直交する面内の断面形状が、概略円弧の一部をなす形状とされている。より詳しくは、上記円弧の半径が、第１の芯１１および第２の芯１２の外周面の半径と略同じ、あるいはそれよりも僅かに大であることが望ましい。そのように溝１０ａが形成されている場合は、この溝１０ａに第１の芯１１、第２の芯１２を緊密に受承させることが可能になる。
【００２０】
基体１０には、上記溝１０ａを挟む１対の突部１０ｂが形成されている。それらの突部１０ｂは、１つの溝１０ａに対してそれぞれ１対ずつ形成されている。基体１０は一例として合成樹脂から形成されている。それにより上記突部１０ｂは、ある程度の弾性を有するものとなっている。これらの突部１０ｂは、後述するように、第１の芯１１、第２の芯１２の外周面を抑える係止手段として作用する。
【００２１】
また、基体１０の前記一端に近い位置には、それぞれ第１の芯１１、第２の芯１２の後端部（使用状態下での上端部）を収める、例えば有底円筒状の芯収容部１０ｃが形成されている。この芯収容部１０ｃの底面は、それぞれ第１の芯１１の後端１１ａ、第２の芯１２の後端１２ａが当接する当接面１０ｄとされている。なお基体１０は、長手方向に対して直角な断面において、第１の芯１１および第２の芯１２の並び方向（矢印Ｂ方向）の寸法が、この並び方向に対して直角な方向の寸法よりも大である、偏平な形状とされている。
【００２２】
次に、本実施形態の２軸ボールペン１において、例えば芯交換の際に新しい芯を取り付ける作業について、図３を参照して説明する。なお、この図３では、第２の芯１２は既に取り付けられた状態として示してある。以下では、別の第１の芯１１を例に挙げて、芯の取付けについて説明する。まず同図に示されるように、第１の芯１１の後端部が、基体１０の一方の芯収容部１０ｃ内に挿し込まれる。その際に第１の芯１１は、その後端１１ａが芯収容部１０ｃの底面、つまり上記当接面１０ｄに接する状態とされる。そしてその状態のまま、第１の芯１１が基体１０の溝１０ａの方に押し込まれる。
【００２３】
図４は、この押し込みがなされる際の、基体１０と第１の芯１１との位置関係を示す断面図である。なお、この図４でも、上側に示す第２の芯１２は、既にセットされた状態として示してある。下側に示す第１の芯１１は、上述のように押し込まれる。つまり第１の芯１１は、図４中で上側に押し込まれる。すると第１の芯１１が、１対の突部１０ｂを互いに離れる方向に弾性変形させつつ、これらの突部１０ｂを乗り越えて、溝１０ａの内周面に接する状態となる。この状態になると、弾性変形した後に元の状態に戻った１対の突部１０ｂが、第１の芯１１の外周面を抑えるようになる。そこで第１の芯１１は、その外周面が溝１０ａに緊密に接しつつ該溝１０ａに受承された取付け状態を保って、基体１０から簡単に脱落することが無い。この点は、第２の芯１２においても同様である。
【００２４】
なお、第１の芯１１および第２の芯１２が上記の取付け状態となったとき、図１に示される通り、第１の芯１１および第２の芯１２の芯先端は、基体長手方向の両基体端面の中の一方、つまり端面１０ｇから突出した状態となる。また、上記の取付け状態において、第１の芯１１および第２の芯１２は、それぞれの略全長に亘って、１対の突部１０ｂに係止されている。
【００２５】
また、基体１０に対して取り付けられた第１の芯１１および第２の芯１２は、基体１０から簡単に取り外すことができる。すなわち、一方の第１の芯１１を例に挙げて説明すれば、例えばその芯先端に近い部分を指先で把持して、溝１０ａから離れる方向にある程度の力を加える。すると第１の芯１１は、基体１０の１対の突部１０ｂを弾性変形させつつ、それらの突部１０ｂを外側に乗り越えて、図３に示すような状態となる。その後に第１の芯１１を、その後端部が芯収容部１０ｃから抜け出るように動かせば、基体１０から第１の芯１１が取り外される。
【００２６】
以上の通り、本実施形態の２軸ボールペン１は、第１の芯１１および第２の芯１２が、基体１０の長手方向と直交する一方向の両側縁に対して、それぞれ基体１０と反対側の外周面を露出させて、着脱自在に取り付けられる構造を有している。そこで、第１の芯１１あるいは第２の芯１２の基体１０への取付けも、また基体１０からの取外しも、面倒な作業を必要とせずに極めて簡単に行われ得る。
【００２７】
第１の芯１１および第２の芯１２が上記の取付け状態になると、２軸ボールペン１は筆記のために使用可能となる。この状態のとき、第１の芯１１および第２の芯１２の芯先端は、基体１０の一つの端面１０ｇから突出した状態となっている。図５は、本実施形態の２軸ボールペン１が、筆記に用いられている状態を示している。図示の通りこの２軸ボールペン１は、２本の芯１１および１２が、下側と上側となるように手Ｈで握って使用される。この２軸ボールペン１を用いる場合だけでなく一般に、ペン状の筆記具を用いて筆記する場合、筆記具はその上端が手前側にやや傾く状態に握られる。そのようにして２軸ボールペン１を使用すれば、下側の芯（図では第１の芯１１）を使用して筆記している際に、上側の芯（図では第２の芯１２）の先端は筆記面から浮いた状態となる。そこで、下側の芯だけを用いて筆記することが可能となる。
【００２８】
本実施形態の２軸ボールペン１においては、基体１０が先に述べたような偏平な形状とされている。そこで、２軸ボールペン１を上述した通り、２本の芯１１および１２が、下側と上側となるように手Ｈで握る際に、基体１０の偏平な形状を頼りにして、２軸ボールペン１を正しく握ることが可能になる。すなわち、上側の芯１２は人差指の腹で基体１０の側縁に押し付けられ、下側の芯１１は中指の背で基体１０の反対側の側縁に押し付けられ、芯１１，１２は基体から外れることなく、安定して保持して筆記することができる。このように２軸ボールペン１を握って筆記する際、使用している第１の芯１１あるいは第２の芯１２の芯先部分は外から見える状態となっているので、インクの色や残量を容易に確認可能となる。
【００２９】
前述した通り、第１の芯１１の後端１１ａ、第２の芯１２の後端１２ａはそれぞれ、基体１０の当接面１０ｄに当接している。そこで、第１の芯１１および第２の芯１２に筆圧が作用しても、第１の芯１１および第２の芯１２は当接面１０ｄに受け止められるので、第１の芯１１や第２の芯１２が筆圧で動いてしまうことがない。本実施形態の２軸ボールペン１は、筆記の際、筆記に使用される方の芯は本質的に、当接面１０ｄによる芯長手方向の受け止めと、溝１０ａによる芯側外方向の受け止めによって保持される。したがって、第１の芯１１や第２の芯１２を、突部１０ｂによって完全に係止しておくことは必ずしも必要ではない。そこで、本発明の２軸ボールペンは極端な場合、芯の係止は考慮外として、筆記に使用する際に上記２方向の受け止めだけで基体にセットするように構成しても構わない。
【００３０】
次に図６を参照して、本発明の第２実施形態による２軸ボールペン２について説明する。なおこの図６において、先に説明した図１〜図５中のものと同等の要素には同番号を付してあり、それらについての説明は特に必要の無い限り省略する。本実施形態の２軸ボールペン２は、第１実施形態の２軸ボールペン１と比べると、第１の芯１１および第２の芯１２を係止する係止手段が異なるものである。すなわち本実施形態において基体２０には、１本の第１の芯１１あるいは第２の芯１２に対して、比較的短い１対の突部２０ｂと１対の突部２０ｃとが設けられている。このように、第１の芯１１や第２の芯１２を係止する係止手段は、必ずしも芯の略全長に亘って係止する必要はなく、短い係止手段も適用可能である。
【００３１】
ここで、図６における２０ａは、第１実施形態における溝１０ａと同様の溝である。また２０ｄは、第１実施形態における当接面１０ｄと同様の当接面である。なお、本実施形態の２軸ボールペン２においては、第１実施形態の２軸ボールペン１に設けられた芯収容部１０ｃは省かれている。
【００３２】
次に図７を参照して、本発明の第３実施形態による２軸ボールペン３について説明する。本実施形態の２軸ボールペン３も、第１実施形態の２軸ボールペン１と比べると、第１の芯１１および第２の芯１２を係止する係止手段が異なるものである。すなわち本実施形態において基体３０には、その前端近傍において、環状部材からなる係止部３０ｂが設けられている。一例としてこの係止部３０ｂは、例えば合成樹脂からなる基体３０と一体的に形成され、第１の芯１１を通すための開口３０ｅを備えている。なお図７では、第１の芯１１を係止する係止部３０ｂのみが明示されているが、第２の芯１２に対しても同様の係止部３０ｂが設けられている。
【００３３】
第１の芯１１は、その先端側から上記係止部３０ｂに通した後、芯長手方向に移動させ、後端１１ａが基体３０の当接面３０ｄに当接したところで取付け完了となる。本実施形態における第１の芯１１は、途中で大径部が形成されたものであるので、例えば係止部３０ｂの内部に設けた段部３０ｍが上記大径部の先端側の端面１１ｐに当接することにより、第１の芯１１の脱落防止が図られる。
【００３４】
なお、同じく第１の芯１１の脱落防止を図って、係止部３０ｂは弾性を有する材料から形成されるのが望ましい。さらに、多くの場合、第１の芯１１はインク収容部が合成樹脂製の管から構成されるが、その種の管は弾性を備えているのが一般的である。そこで上記係止部３０ｂは、第１の芯１１の弾性を備えている部分を係止できる位置に設けることが望ましい。以上、第１の芯１１および、それを係止する係止部３０ｂについて説明したが、第２の芯１２および、それを係止する係止部３０ｂに関しても同様である。なお図７における３０ａは、第１実施形態における溝３０ａと同様の溝である。
【００３５】
次に図８を参照して、本発明の第４実施形態による２軸ボールペン４について説明する。本実施形態の２軸ボールペン４も、第１実施形態の２軸ボールペン１と比べると、第１の芯１１および第２の芯１２を係止する係止手段が異なるものである。すなわち本実施形態において基体４０には、その前端近傍において、環状の係止部４１が取り付けられている。この係止部４１は、一例として、基体４０と別体の針金状金属を環状に形成してなるものである。なお図８では、第１の芯１１を係止する係止部４１のみが示されているが、第２の芯１２に対しても同様の係止部４１が設けられている。
【００３６】
上記構成の２軸ボールペン４において、第１の芯１１は、溝４０ａに沿って図８中右から左に移動させ、その先端部を上記係止部４１の中に通して係止させることにより、基体４０に取り付けられる。より詳しくは、本実施形態における第１の芯１１は、途中で大径部が形成されたものである。そこで、その大径部の先端側の端面１１ｐを係止部４１に当接させることにより、第１の芯１１の長軸方向位置が定められ、また脱落防止も図られる。なお、第１の芯１１の先端部と係止部４１との係止だけで該第１の芯１１の脱落防止を図ってもよいし、さらに別の手法も加えて第１の芯１１の脱落防止を図ってもよい。上記別の手法としては、例えば、第１実施形態の２軸ボールペン１等におけるのと同様に、溝４０ａの上下に有る基体４０の部分によって第１の芯１１を抑えることが挙げられる。以上、第１の芯１１および、それを係止する係止部４１について説明したが、第２の芯１２および、それを係止する係止部４１に関しても同様である。
【００３７】
なお本実施形態の２軸ボールペン４においては、溝４０ａの上下に有る基体４０の部分に、凹部４０ｆが形成されている。このような凹部４０ｆが設けられていると、取り付けられている第１の芯１１あるいは第２の芯１２と基体４０との間に、指先を入れることが容易になる。それにより、第１の芯１１あるいは第２の芯１２を基体４０から取り外す作業がやり易くなる。
【００３８】
次に図９を参照して、本発明の第５実施形態による２軸ボールペン５について説明する。本実施形態の２軸ボールペン５において、基体５０には、図７の２軸ボールペン３における係止部３０ｂと同様の係止部５０ｂが設けられている。そこで、この係止部５０ｂの中に第１の芯１１、第２の芯１２をそれぞれ先端側あるいは後端側から挿通させ、それらを基体５０に取り付けることができる。また基体５０には、図８に示した凹部４０ｆと同様の凹部５０ｆが形成されている。それにより、図８の２軸ボールペン４におけるのと同様に、第１の芯１１あるいは第２の芯１２を基体５０から取り外す作業がやり易くなる。
【００３９】
また本実施形態の２軸ボールペン５においては、係止部５０ｂが設けられている部分の近傍において、基体５０に、その両側を貫通する貫通孔５０ｇが設けられている。この貫通孔５０ｇが設けられていることにより、２軸ボールペン５の使用中に、第１の芯１１および第２の芯１２の先端近傍部分を見ることができる。そこで、現在使用中の芯が第１の芯１１と第２の芯１２のいずれであるか、つまり、現在何色で描線しているかを簡単に確認可能となる。さらに、使用している方の芯のインク残量も容易に確認可能となる。
【００４０】
また、例えば図５に示したようにして２軸ボールペン５を使用している際、使用者が右利きの人であるならば、通常、２軸ボールペン５の左側にある部分の筆記面は良好に観察可能である。それに対して、２軸ボールペン５の右側にある部分の筆記面は、２軸ボールペン５に遮られて良好に観察するのは困難であることが多い。しかし、上述の通りの貫通孔５０ｇが設けられていると、この貫通孔５０ｇを通して、２軸ボールペン５の右側にある部分の筆記面も良好に観察可能となる。なお、上記の貫通孔５０ｇを設ける代わりに、基体５０を透明部材から形成しても、基本的に同様の効果を得ることができる。
【００４１】
次に図１０を参照して、本発明の第６実施形態による２軸ボールペン６について説明する。本実施形態の２軸ボールペン６においては、基体６０に、図９に示した２軸ボールペン５における係止部５０ｂと同様の係止部６０ｂが設けられている。さらに基体６０には、図９に示した凹部５０ｆと同様の凹部６０ｆ、同じく貫通孔５０ｇと同様の貫通孔６０ｇが設けられている。それらの係止部６０ｂ、凹部６０ｆおよび貫通孔６０ｇによって得られる作用、効果は、図９の２軸ボールペン５におけるものと同様である。なお、図１０中の６０ｃは、図１に示した芯収容部１０ｃと同様の芯収容部である。
【００４２】
また本実施形態の２軸ボールペン６においては、基体６０の、第１の芯１１および第２の芯１２を取り付ける部分よりも後端側の部分において、３つの貫通孔６０ｈが形成されている。これらの貫通孔６０ｈは、２軸ボールペン６を何かに引っ掛けておくために利用することができる。さらには、これらの貫通孔６０ｈにより美的効果を得て、２軸ボールペン６の商品価値を高めることも可能である。
【００４３】
さらに本実施形態の２軸ボールペン６においては、基体６０の内部に、第１の芯１１および第２の芯１２の中間に位置する滑り防止部材６０ｋが設けられている。この滑り防止部材６０ｋは、例えば摩擦係数が大きいゴム等を用いて球状に形成されたものである。その取り付けは、例えば基体６０が２つ割りの部材から構成される場合は、各部材に半球状の凹部を形成して、そこに滑り防止部材６０ｋを収容させ、必要に応じて接着剤による接着もする、等によって行うことができる。
【００４４】
本実施形態の２軸ボールペン６において、第１の芯１１および第２の芯１２は、その後端側から係止部６０ｂに通して基体６０にセットされる。その際、基体６０が弾性の高い材料から形成されていたり、あるいは第１の芯１１および第２の芯１２管部分が弾性の高い合成樹脂から形成されたりしている場合は、第１の芯１１および第２の芯１２と基体６０との間の摩擦係合によって第１の芯１１および第２の芯１２の脱落防止を図ることも可能である。しかし、そのような摩擦係合が期待できない場合、あるいは摩擦係合に加えてさらなる脱落防止を図りたい場合は、上述のような滑り防止部材６０ｋを設けて第１の芯１１および第２の芯１２が滑らないようにし、それらの脱落防止を図るのが望ましい。
【００４５】
なお、本発明の２軸ボールペンにおいては、図１に示した芯収容部１０ｃや図１０に示した芯収容部６０ｃに代えて、図１１に示すような円筒状の芯１１，１２の後端開口部に突入する突部１０ｍを設けて、それにより芯１１、１２を保持するようにしてもよい。図１１では、第１の芯１１を例に挙げて説明するが、この突部１０ｍは、基体の当接面１０ｄから突出した例えば円柱状あるいは四角柱状とされている。そして詳しくは、この突部１０ｍの大きさは、例えば円筒状とされた第１の芯１１の端部内面に緊密に入り込んで、該端部と摩擦係合可能な大きさとされている。それにより、芯１１、１２が、その側外方（長軸と交わる方向）に動くことも、また、その長軸方向に動くことも防止される。
【符号の説明】
【００４６】
１、２、３、４、５、６      ２軸ボールペン
１０、２０、３０、４０、５０、６０    基体
１０ａ、２０ａ、３０ａ、４０ａ    基体の溝
１０ｂ、１０ｍ、２０ｂ    基体の突部
１０ｃ、６０ｃ    基体の芯収容部
１０ｄ、２０ｄ、３０ｄ、４０ｄ、５０ｄ    基体の当接面
３０ｂ、５０ｂ、６０ｂ    基体の係止部
４０ｆ、５０ｆ、６０ｆ    基体の凹部
１１    第１の芯
１１ａ  第１の芯の後端
１１ｐ  第１の芯の大径部の端面
１２    第２の芯
１２ａ  第２の芯の後端
３０ｍ  係止部の段部
４１    係止部
６０ｋ  滑り防止部材
【図１】
2018176667.tif 000003
【図２】
2018176667.tif 000004
【図３】
2018176667.tif 000005
【図４】
2018176667.tif 000006
【図５】
2018176667.tif 000007
【図６】
2018176667.tif 000008
【図７】
2018176667.tif 000009
【図８】
2018176667.tif 000010
【図９】
2018176667.tif 000011
【図１０】
2018176667.tif 000012
【図１１】
2018176667.tif 000013